(57)【要約】【課題】  チャンネル毎に割り当てられたスピーカを各出力端子と正確に接続設定を行うことができる増幅装置を提供する。【解決手段】  入力部が入力した信号を複数チャンネルのオーディオ信号に拡張するチャンネル拡張部と、複数チャンネルのオーディオ信号を複数の出力端子にそれぞれ振り分けて出力するチャンネル切換部と、携帯端末装置と情報通信を行う通信部と、複数の出力端子からそれぞれ出力されるオーディオ信号のチャンネルの設定を行う制御部とを備え、制御部は、スピーカの接続設定を行う場合、複数の出力端子から順にテスト信号を出力し、記録部に記録されたテスト信号を出力した出力端子の情報と携帯端末装置から受信したテスト信号が出力されたスピーカの位置の情報に基づいて複数のチャンネルのオーディオ信号を複数の出力端子にそれぞれ振り分けて出力するようチャンネル切換部を制御する。【選択図】      図１
2014192668.tif 000002
【特許請求の範囲】
【請求項１】
再生装置により再生した音声信号を増幅する増幅装置において、
デジタル信号を入力する入力部と、
前記入力部が入力したデジタル信号を複数のチャンネルのオーディオ信号に拡張するチャンネル拡張部と、
前記チャンネル拡張部によって拡張された複数のチャンネルのオーディオ信号を複数の出力端子にそれぞれ振り分けて出力するチャンネル切換部と、
携帯端末装置と情報通信を行う通信部と、
前記通信部が受信した前記携帯端末装置からの情報を記録する記録部と、
前記複数の出力端子からそれぞれ出力されるオーディオ信号のチャンネルの設定を行うよう前記チャンネル切換部を制御する制御部とを備え、
前記制御部は、前記複数の出力端子にそれぞれ接続されたスピーカの接続設定を行う場合、前記複数の出力端子から順にテスト信号を出力し、テスト信号を出力した出力端子の情報を前記通信部を介して前記携帯端末装置から受信したテスト信号が出力されたスピーカの位置の情報と共に前記記録部に記録し、前記記録部に記録されたテスト信号を出力した出力端子の情報と前記携帯端末装置から受信したテスト信号が出力されたスピーカの位置の情報に基づいて前記チャンネル拡張部によって拡張された複数のチャンネルのオーディオ信号を複数の出力端子にそれぞれ振り分けて出力するよう前記チャンネル切換部を制御することを特徴とする増幅装置。
【請求項２】
請求項１記載の増幅装置において、
前記通信部は、無線通信手段によって前記携帯端末装置と情報通信を行うことを特徴とする増幅装置。
【請求項３】
請求項１または２記載の増幅装置において、
前記携帯端末装置は、予めダウンロードした前記増幅装置の設定に関するアプリケーションソフトウェアによって画面に表示されたスピーカの位置を示す選択キーが選択されることによってスピーカの位置の情報を前記通信部に送信することを特徴とする増幅装置。
【発明の詳細な説明】
【技術分野】
【０００１】
本発明は、再生装置により再生した音声信号を増幅する増幅装置に関する。
【背景技術】
【０００２】
近年、ＤＶＤ（Digital Versatile Disc）等の記録媒体に記録されたマルチチャンネルのデジタル音声信号を再生する再生装置と接続し、当該再生装置から出力されたマルチチャンネルのデジタル信号をチャンネル毎に増幅するＡＶサラウンドアンプ等の増幅装置が知られている（例えば、特許文献１参照）。
【０００３】
前述したマルチチャンネルのデジタル信号は、一般的に、フロント左チャンネル（以下、Ｌチャンネルという。）、センターチャンネル（以下、Cチャンネルという）、フロント右チャンネル（以下、Ｒチャンネルという）、サラウンド左チャンネル（以下、Ｌsチャンネルという。）、サラウンド右チャンネル（以下、Ｒsチャンネルという。）及びサブウーハー用チャンネル（以下、ＬＦＥチャンネルという。）で構成される５．１チャンネル用のデジタル音声信号が広く知られ、また、その他にもこれらのチャンネルに２つ以上のチャンネルを加えた７．１チャンネル、９．１チャンネル等のデジタル信号が知られている。
【０００４】
このようなマルチチャンネル用のデジタル信号を再生する場合は、増幅装置が再生装置から出力されたデジタル信号を複数チャンネルのアナログ信号に変換すると共に当該複数チャンネルのアナログ信号をチャンネル毎に増幅し、当該増幅した各チャンネルのアナログ信号を各スピーカに出力するシステム構成となっている。このため、増幅装置は、予め、各チャンネルのオーディオ信号をチャンネル毎に割り当てられたスピーカに出力するための複数の出力端子を装置の後面等に備え、これらの複数の出力端子とチャンネル毎に割り当てられたスピーカとを接続ケーブルによって接続し、当該接続ケーブルを介して各チャンネルに対応したそれぞれのスピーカに音声信号を出力することによって、マルチチャンネル再生を行うことができる。
【先行技術文献】
【特許文献】
【０００５】
【特許文献１】特開２００２一３６７２９０号公報
【発明の概要】
【発明が解決しようとする課題】
【０００６】
前述したようなマルチチャンネル再生を良好な音質で楽しむためには、予めチャンネル毎に割り当てられた各スピーカを正しい位置に配設すると共に、増幅装置に備える複数の出力端子とチャンネル毎に割り当てられた各スピーカとを接続ケーブルによって正確に接続しておく必要がある。
【０００７】
しかしながら、マルチチャンネル再生を行う場合、例えば、５．１チャンネルのマルチチャンネル再生のためには、サブウーハー用チャンネルを除いても、合計で５つのスピーカを増幅装置に備える各出力端子と正確に接続する必要があるため、この接続作業が非常に煩わしいものとなる。また、これらの接続作業を行う場合、各出力端子は増幅装置の後面に備えられていることが多いため、チャンネル毎に割り当てられた各出力端子と各スピーカを接続ケーブルで接続しようとする場合、増幅装置の後面の各チャンネル表示を正確に確認することが困難となる。このため、チャンネル毎に割り当てられた出力端子とスピーカを誤って接続してしまうことがあり、それぞれの出力端子とそれぞれのスピーカを誤って接続してしまうと、各チャンネルの音声信号が正しいスピーカから出力されなくなるため、スピーカから放音されるオーディオ信号が劣化した音質となってしまい、良好なサラウンドオーディオを聴取することができない。
【０００８】
また、マルチチャンネル再生を行う場合、各チャンネルのオーディオ信号をそれぞれ放音するためのスピーカを全て備えることができない場合、限られたスピーカのみの構成でマルチチャンネル再生を行う場合がある。例えば、５．１チャンネルのマルチチャンネル再生を行う場合、Cチャンネル用のスピーカを備えない代わりに、Cチャンネルのオーディオ信号をLチャンネルとRチャンネルのオーディオ信号にダウンミックスして出力させることがある。この場合は、予め、増幅装置の設定において、Cチャンネルのオーディオ信号をLチャンネルとRチャンネルのオーディオ信号にダウンミックスするように設定しておくことで実現することが可能となる。しかしながら、前述したようにCチャンネル用のスピーカを備えない構成としたのにも拘わらず、このダウンミックスの設定を怠ってしまうと、Cチャンネルのオーディオ信号がどのスピーカからも出力されなくなってしまい、良好なサラウンドオーディオを聴取することができない。
【０００９】
本発明は、マルチチャンネルのオーディオ信号を増幅して各スピーカに出力する増幅装置において、チャンネル毎に割り当てられたスピーカを各出力端子と正確に接続する煩わしさを解消して容易に設定を行うことができると共に、特定チャンネルのスピーカを備えない構成とした場合でも当該特定チャンネルのオーディオ信号が出力されなくなってしまうことを防止することができる増幅装置を提供することを目的とする。
【課題を解決するための手段】
【００１０】
本願の請求項１記載の発明は、再生装置により再生した音声信号を増幅する増幅装置において、デジタル信号を入力する入力部と、前記入力部が入力したデジタル信号を複数のチャンネルのオーディオ信号に拡張するチャンネル拡張部と、前記チャンネル拡張部によって拡張された複数のチャンネルのオーディオ信号を複数の出力端子にそれぞれ振り分けて出力するチャンネル切換部と、携帯端末装置と情報通信を行う通信部と、前記通信部が受信した前記携帯端末装置からの情報を記録する記録部と、前記複数の出力端子からそれぞれ出力されるオーディオ信号のチャンネルの設定を行うよう前記チャンネル切換部を制御する制御部とを備え、前記制御部は、前記複数の出力端子にそれぞれ接続されたスピーカの接続設定を行う場合、前記複数の出力端子から順にテスト信号を出力し、テスト信号を出力した出力端子の情報を前記通信部を介して前記携帯端末装置から受信したテスト信号が出力されたスピーカの位置の情報と共に前記記録部に記録し、前記記録部に記録されたテスト信号を出力した出力端子の情報と前記携帯端末装置から受信したテスト信号が出力されたスピーカの位置の情報に基づいて前記チャンネル拡張部によって拡張された複数のチャンネルのオーディオ信号を複数の出力端子にそれぞれ振り分けて出力するよう前記チャンネル切換部を制御することを特徴とする。
【００１１】
本願の請求項２記載の発明は、請求項１記載の増幅装置において、前記通信部は、無線通信手段によって前記携帯端末装置と情報通信を行うことを特徴とする。
【００１２】
本願の請求項３記載の発明は、請求項１または２記載の増幅装置において、前記携帯端末装置は、予めダウンロードした前記増幅装置の設定に関するアプリケーションソフトウェアによって画面に表示されたスピーカの位置を示す選択キーが選択されることによってスピーカの位置の情報を前記通信部に送信することを特徴とする。
【発明の効果】
【００１３】
本発明によれば、マルチチャンネルのオーディオ信号を増幅して各スピーカに出力する増幅装置において、チャンネル毎に割り当てられたスピーカを各出力端子と正確に接続する煩わしさを解消して容易に設定を行うことができると共に、特定チャンネルのスピーカを備えない構成とした場合でも当該特定チャンネルのオーディオ信号が出力されなくなってしまうことを防止することができる増幅装置を提供することができる。
【図面の簡単な説明】
【００１４】
【図１】本発明の一実施例である増幅装置の構成を示すブロック図。
【図２】本実施例の携帯端末装置２において、増幅装置１の設定に関するアプリケーションソフトウェアを起動した場合の表示選択部２５による画面表示の一例を示す図。
【図３】本実施例の増幅装置１において、ユーザがＬチャンネル用スピーカ、Cチャンネル用スピーカ、Ｒチャンネル用スピーカ、Ｌsチャンネル用スピーカ及びＲsチャンネル用スピーカの５つのスピーカによって５．１チャンネル構成のマルチチャンネル再生を行う状態を示す図。
【図４】本実施例の増幅装置１によってマルチチャンネル再生を行う場合において、各スピーカに各チャンネルを割り当てる接続設定の動作を示すフローチャート図。
【図５】本実施例の増幅装置１において、ユーザがＬチャンネル用スピーカ、Ｒチャンネル用スピーカ、Ｌsチャンネル用スピーカ及びＲsチャンネル用スピーカの４つのスピーカによって５．１チャンネル構成のマルチチャンネル再生を行う状態を示す図。
【発明を実施するための形態】
【００１５】
本発明の実施の形態を図面を参照して説明する。
【００１６】
図１は、本発明の一実施例である増幅装置の構成を示すブロック図である。
本実施例の増幅装置１は、図１に示すように、携帯端末装置２と通信可能に成される。携帯端末装置２は、スマートフォンや携帯型パーソナルコンピュータ等から成る汎用の携帯情報端末である。
【００１７】
先ず、増幅装置１の構成について説明する。
図１に示すように、増幅装置１は、入力部１１、チャンネル拡張部１２、チャンネル切換部１３、操作部１４、制御部１５、記録部１６、表示部１７、通信部１８、第１のD／A変換部１９ａ〜第５のD／A変換部１９ｅ、第１の増幅部２０ａ〜第５の増幅部２０ｅ及び第１の出力端子２１ａ〜第５の出力端子２１ｅを備える。
【００１８】
入力部１１は、再生装置（図示しない）から５．１チャンネルのマルチチャンネルデジタル信号を入力する。チャンネル拡張部１２は、入力部１１が入力したマルチチャンネルデジタル信号をＬチャンネル、Cチャンネル、Ｒチャンネル、Ｌsチャンネル及びＲsチャンネルの５つのチャンネルのデジタル信号に拡張する。なお、通常の５．１チャンネルのマルチチャンネルの場合、サブウーハ（Sub woofer）スピーカによって放音を行うためのＬＦＥチャンネルのデジタル信号も含まれるが、本実施例においては、このＬＦＥチャンネルのデジタル信号及びサブウーハスピーカの説明は省略するものとする。
【００１９】
チャンネル切換部１３は、制御部１５の制御に応じて、チャンネル拡張部１２によって拡張された５つのチャンネルのデジタル信号を第１のD／A変換部１９ａ〜第５のD／A変換部１９ｅにそれぞれ振り分けて出力する。第１のD／A変換部１９ａ〜第５のD／A変換部１９ｅは、それぞれ入力されたデジタル信号をアナログ信号に変換し、変換したアナログ信号をそれぞれ第１のD／A変換部１９ａ〜第５のD／A変換部１９ｅに出力する。第１の増幅部２０ａ〜第５の増幅部２０ｅは、それぞれ入力されたアナログ信号を増幅し、増幅したアナログ信号をそれぞれ第１の出力端子２１ａ〜第５の出力端子２１ｅに出力する。
【００２０】
第１の出力端子２１ａ〜第５の出力端子２１ｅは、それぞれＬチャンネル用スピーカ、Cチャンネル用スピーカ、Ｒチャンネル用スピーカ、Ｌsチャンネル用スピーカ及びＲsチャンネル用スピーカのいずれかのスピーカに任意に接続されている。
【００２１】
操作部１４は、音量ボリューム、再生ソース選択キー等を備え、それらが操作されることによって制御部１５に指示信号を出力する。制御部１５は、操作部１４からの指示信号に応じて第１の増幅部２０ａ〜第５の増幅部２０ｅによるアナログ信号の増幅度を変更したり、図示しないが前述した再生装置以外の装置から入力したデジタル信号の処理を行うように再生ソースの切換え等を行う。表示部１７は、増幅装置１の動作状態の表示や、再生するソースの表示等を行う。
【００２２】
通信部１８は、制御部１５の制御に応じて、Wi-Fi（ワイファイ、Wireless Fidelity）の無線手段によって携帯端末装置２などの他の装置と相互に情報通信を行う。記録部１６は、制御部１５の制御に基づいて、通信部１８による相互情報通信よって携帯端末装置２から入力した情報データを記録する。また、記録部１６は、予め、テスト音のデータ信号から成るテスト信号が記録されている。制御部１５は、携帯端末装置２から入力され記録部１６に記録された情報データ記録部１６に基づいて、チャンネル拡張部１２によって拡張された５つのチャンネルのデジタル信号を第１のD／A変換部１９ａ〜第５のD／A変換部１９ｅにそれぞれ振り分けて出力するようチャンネル切換部１３を制御する。制御部１５は、後述するスピーカの接続設定を行う場合、記録部１６に記録したテスト信号を第１の出力端子２１ａ〜第５の出力端子２１ｅのいずれかの出力端子から出力するようチャンネル切換部１３を制御する。
【００２３】
次に、携帯端末装置２の構成について説明する。
携帯端末装置２は、通信部２２、制御部２３、アプリケーション記録部２４及び表示選択部２５を備える。
【００２４】
通信部２２は、Wi-Fi（ワイファイ、Wireless Fidelity）の無線手段によって増幅装置１などの他の装置と相互に情報通信を行う。制御部２３は、通信部２２、アプリケーション記録部２４及び表示選択部２５等の携帯端末装置２の全体を制御する。アプリケーション記録部２４は、通信部２２による通信手段や図示しない信号入力部を介して入力したアプリケーションソフトウェア（Application software）を記録する。
【００２５】
表示選択部２５は、タッチパネルから成り、アプリケーション記録部２４に記録されたアプリーションソフトウェアが起動された場合、起動されたソフトウェアに応じた情報表示や各種選択キーの表示を行い、また、表示した各種選択キーがタッチされると、当該選択キーが選択されたことを検知し、各種選択信号を制御部２３に出力する。
【００２６】
図２は、本実施例の携帯端末装置２において、増幅装置１の設定に関するアプリケーションソフトウェアを起動した場合の表示選択部２５による画面表示の一例を示す図である。
なお、本実施例においては、携帯端末装置２のアプリケーション記録部２４には、通信部２２または図示しない信号入力によって、増幅装置１の設定に関するアプリケーションソフトウェアが予め記録されているものとする。
【００２７】
携帯端末装置２において、予めアプリケーション記録部２４に記録されている増幅装置１の設定に関するアプリケーションソフトウェアを起動すると、図２に示すように、表示選択部２５には、ユーザ位置表示２１０、Ｃチャンネル選択キー２１１、Ｌチャンネル選択キー２１２、Ｒチャンネル選択キー２１３、Ｌｓチャンネル選択キー２１４、Ｒｓチャンネル選択キー２１５、スピーカ無し選択キー２１６及び設定スタートキー２１７が表示される。
【００２８】
図２に示すように、ユーザ位置表示２１０は表示選択部２５の中央部分に配置され、Ｃチャンネル選択キー２１１は表示選択部２５の上方の中央部分、Ｌチャンネル選択キー２１２は表示選択部２５の左側上方部分、Ｒチャンネル選択キー２１３は表示選択部２５の右側上方部分、Ｌｓチャンネル選択キー２１４は表示選択部２５の左側下方部分、Ｒｓチャンネル選択キー２１５は表示選択部２５の右側下方部分にそれぞれ配置される。スピーカ無し選択キー２１６及び設定スタートキー２１７は、表示選択部２５の任意の位置に配置される。
【００２９】
図３は、本実施例の増幅装置１において、ユーザがＬチャンネル用スピーカ、Cチャンネル用スピーカ、Ｒチャンネル用スピーカ、Ｌsチャンネル用スピーカ及びＲsチャンネル用スピーカの５つのスピーカによって５．１チャンネル構成のマルチチャンネル再生を行う状態を示す図である。
本実施例においては、上方向をユーザの前方とし、右方向及び左方向をそれぞれユーザの右側及び左側とする。
【００３０】
通常、増幅装置１と接続された５つのスピーカによって５．１チャンネルのマルチチャンネル再生を行う場合は、図３に示すように、ユーザ１０の前方中央の位置にＣチャンネルスピーカ１０１を配置し、また、ユーザ１０の左側前方の位置にＬチャンネルスピーカ１０２、ユーザ１０の右側前方の位置にＲチャンネルスピーカ１０３、ユーザ１０の左側後方の位置にＬｓチャンネルスピーカ１０４、ユーザ１０の右側後方の位置にＲｓチャンネルスピーカ１０５をそれぞれ配置する。
【００３１】
図４は、本実施例の増幅装置１によってマルチチャンネル再生を行う場合において、各スピーカに各チャンネルを割り当てる接続設定の動作を示すフローチャート図である。
【００３２】
本実施例においては、前述したように、図１に示す第１の出力端子２１ａ〜第５の出力端子２１ｅは、それぞれ図３に示すＣチャンネルスピーカ１０１、Ｌチャンネルスピーカ１０２、Ｒチャンネルスピーカ１０３、Ｌｓチャンネルスピーカ１０４及びＲｓチャンネルスピーカ１０５のいずれかのスピーカに任意に接続されているものとし、また、図３に示すように、携帯端末装置２はユーザ１０が手で保持しているものとする。
【００３３】
先ず、携帯端末装置２によって、アプリケーション記録部２４に記録されている増幅装置１の設定に関するアプリケーションソフトウェアを起動し、図３に示す表示を表示選択部２５に表示する。
【００３４】
次に、図３に示すように、ユーザ１０の周囲に各スピーカが配置された状態において、表示選択部２５の設定スタートキー２１７が選択されると（スタート）、表示選択部２５は、設定スタートキー２１７が選択されたことを示す信号を制御部２３に出力する。制御部２３は、表示選択部２５から設定スタートキー２１７が選択されたことを示す信号が出力されると、設定スタートを示す信号を増幅装置１の通信部１８に送信するよう通信部２２を制御する。通信部２２は、制御部２３の制御に応じて設定スタートを示す信号を通信部１８に送信する。
【００３５】
通信部１８は、通信部２２から設定スタートを示す信号を受信すると、設定スタートを示す信号を制御部１５に出力する。制御部１５は、通信部１８から設定スタートを示す信号が出力されると、記録部１６に記録されているテスト信号を第１の出力端子２１ａから出力するようチャンネル切換部１３を制御する。チャンネル切換部１３は、制御部１５の制御に応じて記録部１６に記録されたテスト信号を第１の出力端子２１ａから出力する（ステップＳ１）。次に、制御部１５は、通信部２２及び通信部１８を介して携帯端末装置２からチャンネルに関する情報信号が受信されるまで待機する（ステップＳ２）。
【００３６】
図３に示すように、ユーザ１０の周囲に各スピーカが配置されている状態において、第１の出力端子２１ａと接続されたスピーカからテスト信号が出力されると、ユーザ１０は、図２に示すように表示選択部２５に表示された画面を目視しながら、Ｃチャンネルスピーカ１０１〜Ｒｓチャンネルスピーカ１０５の内、どの方向のスピーカからテスト信号が出力されているかを確認し、表示選択部２５に表示されたＣチャンネル選択キー２１１〜Ｒｓチャンネル選択キー２１５の内、当該テスト信号が出力された方向のスピーカに該当するスピーカの選択キーをタッチして選択する。
【００３７】
本実施例においては、図１に示す第１の出力端子２１ａと図３に示すＲｓチャンネルスピーカ１０５が接続されているものとし、このとき、Ｒｓチャンネルスピーカ１０５からテスト信号が出力され、ユーザ１０によってＲｓチャンネル選択キー２１５が選択されたものとする。
【００３８】
表示選択部２５は、Ｒｓチャンネル選択キー２１５が選択されたことを示す信号を制御部２３に出力する。制御部２３は、表示選択部２５からＲｓチャンネル選択キー２１５が選択されたことを示す信号が出力されると、Ｒｓチャンネルを示す情報信号を増幅装置１の通信部１８に送信するよう通信部２２を制御する。通信部２２は、制御部２３の制御に応じてＲｓチャンネルを示す情報信号を通信部１８に送信する。
【００３９】
通信部１８は、通信部２２からＲｓチャンネルを示す情報信号を受信すると、このＲｓチャンネルを示す情報信号を制御部１５に出力する。制御部１５は、通信部１８から出力されたＲｓチャンネルを示す情報信号が出力されると、このときにテスト信号を出力した第１の出力端子２１ａの情報と共に、通信部１８から出力されたＲｓチャンネルを示す情報を記録部１６に記録し（ステップＳ３）、ステップＳ４に移行する。
【００４０】
ステップＳ４において、制御部１５は、通記録部１６に記録されているテスト信号を第２の出力端子２１ｂから出力するようチャンネル切換部１３を制御する。チャンネル切換部１３は、制御部１５の制御に応じて記録部１６に記録されたテスト信号を第２の出力端子２１ｂから出力する。次に、制御部１５は、通信部２２及び通信部１８を介して携帯端末装置２からチャンネルに関する情報信号が受信されるまで待機する（ステップＳ５）。
【００４１】
図３に示すように、ユーザ１０の周囲に各スピーカが配置されている状態において、第２の出力端子２１ｂと接続されたスピーカからテスト信号が出力されると、ユーザ１０は、図２に示すように表示選択部２５に表示された画面を目視しながら、Ｃチャンネルスピーカ１０１〜Ｒｓチャンネルスピーカ１０５の内、どの方向のスピーカからテスト信号が出力されているかを確認し、表示選択部２５に表示されたＣチャンネル選択キー２１１〜Ｒｓチャンネル選択キー２１５の内、当該テスト信号が出力された方向のスピーカに該当するスピーカの選択キーをタッチして選択する。
【００４２】
本実施例においては、図１に示す第２の出力端子２１ｂと図３に示すＬｓチャンネルスピーカ１０４が接続されているものとし、このとき、Ｌｓチャンネルスピーカ１０４からテスト信号が出力され、ユーザ１０によってＬｓチャンネル選択キー２１４が選択されたものとする。
【００４３】
表示選択部２５は、Ｌｓチャンネル選択キー２１４が選択されたことを示す信号を制御部２３に出力する。制御部２３は、表示選択部２５からＬｓチャンネル選択キー２１４が選択されたことを示す信号が出力されると、Ｌｓチャンネルを示す情報信号を増幅装置１の通信部１８に送信するよう通信部２２を制御する。通信部２２は、制御部２３の制御に応じてＬｓチャンネルを示す情報信号を通信部１８に送信する。
【００４４】
通信部１８は、通信部２２からＬｓチャンネルを示す情報信号を受信すると、このＬｓチャンネルを示す情報信号を制御部１５に出力する。制御部１５は、通信部１８から出力されたＬｓチャンネルを示す情報信号が出力されると、このときにテスト信号を出力した第２の出力端子２１ｂの情報と共に、通信部１８から出力されたＬｓチャンネルを示す情報を記録部１６に記録し（ステップＳ６）、ステップＳ７に移行する。
【００４５】
ステップＳ７において、制御部１５は、通記録部１６に記録されているテスト信号を第３の出力端子２１ｃから出力するようチャンネル切換部１３を制御する。チャンネル切換部１３は、制御部１５の制御に応じて記録部１６に記録されたテスト信号を第３の出力端子２１ｃから出力する。次に、制御部１５は、通信部２２及び通信部１８を介して携帯端末装置２からチャンネルに関する情報信号が受信されるまで待機する（ステップＳ８）。
【００４６】
図３に示すように、ユーザ１０の周囲に各スピーカが配置されている状態において、第３の出力端子２１ｃと接続されたスピーカからテスト信号が出力されると、ユーザ１０は、図２に示すように表示選択部２５に表示された画面を目視しながら、Ｃチャンネルスピーカ１０１〜Ｒｓチャンネルスピーカ１０５の内、どの方向のスピーカからテスト信号が出力されているかを確認し、表示選択部２５に表示されたＣチャンネル選択キー２１１〜Ｒｓチャンネル選択キー２１５の内、当該テスト信号が出力された方向のスピーカに該当するスピーカの選択キーをタッチして選択する。
【００４７】
本実施例においては、図１に示す第３の出力端子２１ｃと図３に示すＲチャンネルスピーカ１０３が接続されているものとし、このとき、Ｒチャンネルスピーカ１０３からテスト信号が出力され、ユーザ１０によってＲチャンネル選択キー２１３が選択されたものとする。
【００４８】
表示選択部２５は、Ｒチャンネル選択キー２１３が選択されたことを示す信号を制御部２３に出力する。制御部２３は、表示選択部２５からＲチャンネル選択キー２１３が選択されたことを示す信号が出力されると、Ｒチャンネルを示す情報信号を増幅装置１の通信部１８に送信するよう通信部２２を制御する。通信部２２は、制御部２３の制御に応じてＲチャンネルを示す情報信号を通信部１８に送信する。
【００４９】
通信部１８は、通信部２２からＲチャンネルを示す情報信号を受信すると、このＲチャンネルを示す情報信号を制御部１５に出力する。制御部１５は、通信部１８から出力されたＲチャンネルを示す情報信号が出力されると、このときにテスト信号を出力した第３の出力端子２１ｃの情報と共に、通信部１８から出力されたＲチャンネルを示す情報を記録部１６に記録し（ステップＳ９）、ステップＳ１０に移行する。
【００５０】
ステップＳ１０において、制御部１５は、通記録部１６に記録されているテスト信号を第４の出力端子２１ｄから出力するようチャンネル切換部１３を制御する。チャンネル切換部１３は、制御部１５の制御に応じて記録部１６に記録されたテスト信号を第４の出力端子２１ｄから出力する。次に、制御部１５は、通信部２２及び通信部１８を介して携帯端末装置２からチャンネルに関する情報信号が受信されるまで待機する（ステップＳ１１）。
【００５１】
図３に示すように、ユーザ１０の周囲に各スピーカが配置されている状態において、第４の出力端子２１ｄと接続されたスピーカからテスト信号が出力されると、ユーザ１０は、図２に示すように表示選択部２５に表示された画面を目視しながら、Ｃチャンネルスピーカ１０１〜Ｒｓチャンネルスピーカ１０５の内、どの方向のスピーカからテスト信号が出力されているかを確認し、表示選択部２５に表示されたＣチャンネル選択キー２１１〜Ｒｓチャンネル選択キー２１５の内、当該テスト信号が出力された方向のスピーカに該当するスピーカの選択キーをタッチして選択する。
【００５２】
本実施例においては、図１に示す第４の出力端子２１ｄと図３に示すＬチャンネルスピーカ１０２が接続されているものとし、このとき、Ｌチャンネルスピーカ１０２からテスト信号が出力され、ユーザ１０によってＬチャンネル選択キー２１２が選択されたものとする。
【００５３】
表示選択部２５は、Ｌチャンネル選択キー２１２が選択されたことを示す信号を制御部２３に出力する。制御部２３は、表示選択部２５からＬチャンネル選択キー２１２が選択されたことを示す信号が出力されると、Ｌチャンネルを示す情報信号を増幅装置１の通信部１８に送信するよう通信部２２を制御する。通信部２２は、制御部２３の制御に応じてＬチャンネルを示す情報信号を通信部１８に送信する。
【００５４】
通信部１８は、通信部２２からＬチャンネルを示す情報信号を受信すると、このＬチャンネルを示す情報信号を制御部１５に出力する。制御部１５は、通信部１８から出力されたＬチャンネルを示す情報信号が出力されると、このときにテスト信号を出力した第４の出力端子２１ｄの情報と共に、通信部１８から出力されたＬチャンネルを示す情報を記録部１６に記録し（ステップＳ１２）、ステップＳ１３に移行する。
【００５５】
ステップＳ１３において、制御部１５は、通記録部１６に記録されているテスト信号を第５の出力端子２１ｅから出力するようチャンネル切換部１３を制御する。チャンネル切換部１３は、制御部１５の制御に応じて記録部１６に記録されたテスト信号を第５の出力端子２１ｅから出力する。次に、制御部１５は、通信部２２及び通信部１８を介して携帯端末装置２からチャンネルに関する情報信号が受信されるまで待機する（ステップＳ１４）。
【００５６】
図３に示すように、ユーザ１０の周囲に各スピーカが配置されている状態において、第５の出力端子２１ｅと接続されたスピーカからテスト信号が出力されると、ユーザ１０は、図２に示すように表示選択部２５に表示された画面を目視しながら、Ｃチャンネルスピーカ１０１〜Ｒｓチャンネルスピーカ１０５の内、どの方向のスピーカからテスト信号が出力されているかを確認し、表示選択部２５に表示されたＣチャンネル選択キー２１１〜Ｒｓチャンネル選択キー２１５の内、当該テスト信号が出力された方向のスピーカに該当するスピーカの選択キーをタッチして選択する。
【００５７】
本実施例においては、図１に示す第５の出力端子２１ｅと図３に示すＣチャンネルスピーカ１０１が接続されているものとし、このとき、Ｃチャンネルスピーカ１０１からテスト信号が出力され、ユーザ１０によってＣチャンネル選択キー２１１が選択されたものとする。
【００５８】
表示選択部２５は、Ｃチャンネル選択キー２１１が選択されたことを示す信号を制御部２３に出力する。制御部２３は、表示選択部２５からＣチャンネル選択キー２１１が選択されたことを示す信号が出力されると、Ｃチャンネルを示す情報信号を増幅装置１の通信部１８に送信するよう通信部２２を制御する。通信部２２は、制御部２３の制御に応じてＣチャンネルを示す情報信号を通信部１８に送信する。
【００５９】
通信部１８は、通信部２２からＣチャンネルを示す情報信号を受信すると、このＣチャンネルを示す情報信号を制御部１５に出力する。制御部１５は、通信部１８から出力されたＣチャンネルを示す情報信号が出力されると、このときにテスト信号を出力した第５の出力端子２１ｅの情報と共に、通信部１８から出力されたＣチャンネルを示す情報を記録部１６に記録し（ステップＳ１５）、ステップＳ１６に移行する。
【００６０】
次に、制御部１５は、記録部１６に記録した各チャンネルを示す情報と、当該各チャンネルを示す情報と共に記録した出力端子の情報に基づいて、第１の出力端子２１ａ〜第５の出力端子２１ｅの各出力端子から出力するチャンネルを配置する。
【００６１】
本実施例においては、ステップＳ３において、第１の出力端子２１ａの情報と共にＲｓチャンネルを示す情報が記録部１６に記録されていることにより、制御部１５は、第１の出力端子２１ａからＲｓチャンネルの信号が出力されるようにチャンネル切換部１３を制御する。チャンネル切換部１３は、制御部１５の制御に応じて、第１の出力端子２１ａからＲｓチャンネルが出力されるように、第１のD／A変換部１９ａにＲｓチャンネルのデジタル信号を出力するよう出力チャンネルを設定する。
【００６２】
また、本実施例においては、ステップＳ６において、第２の出力端子２１ｂの情報と共にＬｓチャンネルを示す情報が記録部１６に記録されていることにより、制御部１５は、第２の出力端子２１ｂからＬｓチャンネルの信号が出力されるようにチャンネル切換部１３を制御する。チャンネル切換部１３は、制御部１５の制御に応じて、第２の出力端子２１ｂからＬｓチャンネルが出力されるように、第２のD／A変換部１９ｂにＬｓチャンネルのデジタル信号を出力するよう出力チャンネルを設定する。
【００６３】
また、本実施例においては、ステップＳ９において、第３の出力端子２１ｃの情報と共にＲチャンネルを示す情報が記録部１６に記録されていることにより、制御部１５は、第３の出力端子２１ｃからＲチャンネルの信号が出力されるようにチャンネル切換部１３を制御する。チャンネル切換部１３は、制御部１５の制御に応じて、第３の出力端子２１ｃからＲチャンネルが出力されるように、第３のD／A変換部１９ｃにＲチャンネルのデジタル信号を出力するよう出力チャンネルを設定する。
【００６４】
また、本実施例においては、ステップＳ１２において、第４の出力端子２１ｄの情報と共にＬチャンネルを示す情報が記録部１６に記録されていることにより、制御部１５は、第４の出力端子２１ｄからＬチャンネルの信号が出力されるようにチャンネル切換部１３を制御する。チャンネル切換部１３は、制御部１５の制御に応じて、第４の出力端子２１ｄからＬチャンネルが出力されるように、第４のD／A変換部１９ｄにＬチャンネルのデジタル信号を出力するよう出力チャンネルを設定する。
【００６５】
また、本実施例においては、ステップＳ１５において、第５の出力端子２１ｅの情報と共にＣチャンネルを示す情報が記録部１６に記録されていることにより、制御部１５は、第５の出力端子２１ｅからＣチャンネルの信号が出力されるようにチャンネル切換部１３を制御する。チャンネル切換部１３は、制御部１５の制御に応じて、第５の出力端子２１ｅからＣチャンネルが出力されるように、第５のD／A変換部１９ｅにＣチャンネルのデジタル信号を出力するよう出力チャンネルを設定する。
【００６６】
以上のように、本実施例の増幅装置１は、第１の出力端子２１ａ〜第５の出力端子２１ｅの各出力端子から順番にテスト信号を出力し、このときテスト信号が出力されたスピーカがどのスピーカだったのかをユーザが確認し、図２に示すように表示選択部２５に表示されたＣチャンネル選択キー２１１〜Ｒｓチャンネル選択キー２１５の中からテスト信号が出力されたスピーカに該当する方向のスピーカを選択することによって、各チャンネルのオーディオ信号を正確に各スピーカに出力するよう設定することができる。
【００６７】
このことにより、本実施例の増幅装置１は、チャンネル毎に割り当てられたスピーカを各出力端子と正確に接続しておかなくても、各出力端子と各スピーカをランダムに接続した後、前述したように、表示選択部２５に表示された設定スタートキー２１７を選択し、表示選択部２５に表示されたＣチャンネル選択キー２１１〜Ｒｓチャンネル選択キー２１５の中からテスト信号が出力されたスピーカに該当する方向のスピーカを選択するだけで各スピーカのチャンネルを容易かつ正確に自動設定することができる。
【００６８】
図５は、本実施例の増幅装置１において、ユーザがＬチャンネル用スピーカ、Ｒチャンネル用スピーカ、Ｌsチャンネル用スピーカ及びＲsチャンネル用スピーカの４つのスピーカによって５．１チャンネル構成のマルチチャンネル再生を行う状態を示す図である。
本実施例においては、上方向をユーザの前方とし、右方向及び左方向をそれぞれユーザの右側及び左側とする。
【００６９】
通常、増幅装置１と接続された４つのスピーカによって５．１チャンネル構成のマルチチャンネル再生を行う場合は、図５に示すように、ユーザ１０の左側前方の位置にＬチャンネルスピーカ１０２を配設し、ユーザ１０の右側前方の位置にＲチャンネルスピーカ１０３、ユーザ１０の左側後方の位置にＬｓチャンネルスピーカ１０４、ユーザ１０の右側後方の位置にＲｓチャンネルスピーカ１０５をそれぞれ配置する。
【００７０】
この場合、図４のフローチャート図に沿って前述して説明したのと同様に、ステップＳ１〜ステップＳ１６までの動作によって各スピーカに各チャンネルを割り当てる接続設定を行うが、図５に示すようにＣチャンネルのスピーカが省略され、例えば、Ｃチャンネル用スピーカを除く４つのスピーカが第１の出力端子２１ａ〜第４の出力端子２１ｄの４つの出力端子に任意に接続され、第５の出力端子２１ｅにスピーカが接続されていない場合、図４のフローチャート図のステップＳ１３〜ステップＳ１５における動作が次のようになる。
【００７１】
ステップＳ１３において、制御部１５は、通記録部１６に記録されているテスト信号を第５の出力端子２１ｅから出力するようチャンネル切換部１３を制御する。チャンネル切換部１３は、制御部１５の制御に応じて記録部１６に記録されたテスト信号を第５の出力端子２１ｅから出力する。次に、制御部１５は、通信部２２及び通信部１８を介して携帯端末装置２からチャンネルに関する情報信号が受信されるまで待機する（ステップＳ１４）。
【００７２】
図５に示すように、ユーザ１０の周囲に各スピーカが配置されている状態において、第５の出力端子２１ｅにスピーカが接続されていない場合であって、図５に示す各スピーカの中のどのスピーカからもテスト信号が出力されない場合、ユーザ１０は、図２に示す表示選択部２５に表示されたスピーカ無し選択キー２１６をタッチして選択する。
【００７３】
表示選択部２５は、スピーカ無し選択キー２１６が選択されたことを示す信号を制御部２３に出力する。制御部２３は、表示選択部２５からスピーカ無し選択キー２１６が選択されたことを示す信号が出力されると、スピーカが無いことを示す情報信号を増幅装置１の通信部１８に送信するよう通信部２２を制御する。通信部２２は、制御部２３の制御に応じてスピーカが無いことを示す情報信号を通信部１８に送信する。
【００７４】
通信部１８は、通信部２２からスピーカが無いことを示す情報信号を受信すると、このスピーカが無いことを示す情報信号を制御部１５に出力する。制御部１５は、通信部１８から出力されたスピーカが無いことを示す情報信号が出力されると、このときにテスト信号を出力した第５の出力端子２１ｅの情報と共に、通信部１８から出力されたスピーカが無いことを示す情報を記録部１６に記録し（ステップＳ１５）、ステップＳ１６に移行する。
【００７５】
次に、制御部１５は、記録部１６に記録した各チャンネルを示す情報と、当該各チャンネルを示す情報と共に記録した出力端子の情報に基づいて、第１の出力端子２１ａ〜第５の出力端子２１ｅの各出力端子から出力するチャンネルを配置する。
【００７６】
本実施例においては、ステップＳ１５において、第５の出力端子２１ｅの情報と共にスピーカが無いことを示す情報が記録部１６に記録されていることにより、制御部１５は、第５の出力端子２１ｅにスピーカが接続されていない情報を検出すると共に、ステップＳ３、ステップＳ６、ステップＳ９及びステップＳ１２において記録部１６に記録した各出力端子の情報と共に記録されている各チャンネルを示す情報に基づいて、Ｃチャンネル選択キー２１１が選択されていないことを検出する。制御部１５は、検出した第５の出力端子２１ｅにスピーカが接続されていない情報と、Ｃチャンネル選択キー２１１が選択されていない情報に基づいて、Ｌチャンネルを示す情報と共に記録部１６に記録されている出力端子と、Ｒチャンネルを示す情報と共に記録部１６に記録されている出力端子からそれぞれＣチャンネルの信号がダウンミックスして出力されるように制御する。
【００７７】
つまり、前述したように、第３の出力端子２１ｃからＲチャンネルが出力され、また、第４の出力端子２１ｄからＬチャンネルの信号が出力されるように設定を行う場合において、Ｃチャンネルを出力する出力端子が無いことを検出した場合、制御部１５は、第３の出力端子２１ｃ及び第４の出力端子２１ｄからそれぞれＣチャンネルの信号がダウンミックスされて出力されるようにするため、第３のD／A変換部１９ｃ及び第４のD／A変換部１９ｄからＣチャンネルのデジタル信号がダウンミックスして出力するよう出力チャンネルを設定する。
【００７８】
以上のように、本実施例の増幅装置１は、第１の出力端子２１ａ〜第５の出力端子２１ｅの各出力端子から順番にテスト信号を出力する際、テスト信号がどのスピーカからも出力されなかった場合にユーザが表示選択部２５に表示されたスピーカ無し選択キー２１６を選択することによって、特定チャンネルのスピーカを備えない構成とした場合でも、当該特定チャンネルの信号を他のチャンネルにダウンミックスして出力させるため、当該特定チャンネルのオーディオ信号がどのスピーカからも出力されなくなってしまうことを防止することができる。
【００７９】
なお、これまでの説明においては、Ｃチャンネル用スピーカを備えていない場合についてのみ説明したが、その他にも、例えば、Ｌsチャンネル及びＲsチャンネルを備えない場合は、図４のフローチャート図で説明したのと同様の動作により、Ｌsチャンネル及びＲsチャンネルを出力するスピーカが無いことを検出し、例えば、Ｌsチャンネルの信号をＬチャンネルにダウンミックスすると共にＲｓチャンネルの信号をＲチャンネルにダウンミックスするように制御部１５が制御するようにすれば良いし、また、例えば、Ｌチャンネル及びＲチャンネルを備えない場合は、例えば、Ｌチャンネルの信号及びＲチャンネルの信号をＣチャンネルにダウンミックスするように制御部１５が制御するようにすれば良い。
【００８０】
以上により、本実施例の増幅装置１は、チャンネル毎に割り当てられたスピーカを各出力端子と正確に接続しておかなくても、各出力端子と各スピーカをランダムに接続した後、表示選択部２５に表示された設定スタートキー２１７を選択した後、表示選択部２５に表示されたＣチャンネル選択キー２１１〜Ｒｓチャンネル選択キー２１５の中からテスト信号が出力されたスピーカに該当する方向のスピーカを選択すると共に、どのスピーカからもテスト信号が出力されなかった際にスピーカ無し選択キー２１６を選択することによって、各スピーカのチャンネルを容易かつ正確に自動設定することができると共に、特定チャンネルのスピーカを備えない構成とした場合でも当該特定チャンネルのオーディオ信号が出力されなくなってしまうことを防止することができる。
【００８１】
本実施例の増幅装置１は、各スピーカに各チャンネルを割り当てる接続設定を行う場合、増幅装置１と相互通信を行う携帯端末装置２としてスマートフォンや携帯型パーソナルコンピュータ等から成る汎用の携帯情報端末装置を用い、携帯端末装置２に増幅装置１の設定に関するアプリケーションソフトウェアを予めダウンロードしておくことによって、容易にスピーカの接続設定を自動的に行うことができるので、専用の通信装置やリモコン装置を備える必要がないため、増幅装置１の製造コストを低減させることができると共に、ユーザが所有している携帯端末装置を用いて手軽にスピーカの接続設定を行うことができる。
【００８２】
本実施例の増幅装置１は、通常の５．１チャンネルのマルチチャンネル構成の場合、サブウーハスピーカによって放音を行うためのＬＦＥチャンネルのデジタル信号について説明を省略したが、スピーカの接続設定を行う場合に当該サブウーハスピーカの接続設定も行うことができるようにしても良いことは勿論である。本実施例の増幅装置１において、前述したＬチャンネル、Cチャンネル、Ｒチャンネル、Ｌsチャンネル、Ｒsチャンネル用スピーカの接続設定に加えてＬＦＥチャンネルを出力するサブウーハスピーカの接続設定も行えるようにすることによって、更にユーザが容易かつ正確に全てのスピーカの接続設定をすることができるので、ユーザの利便性に資することができる。
【００８３】
本実施例の増幅装置１は、５．１チャンネル構成のマルチチャンネルのオーディオ信号についてスピーカの接続設定を行うものとして説明したが、例えば、７．１チャンネル構成や９．１チャンネル構成のマルチチャンネルオーディオ信号についてスピーカの接続設定を行う構成としても良いし、また、４チャンネル以下のマルチチャンネルオーディオ信号や２チャンネル構成のステレオオーディオ信号についてスピーカの接続設定を行う構成としても良い。この場合、例えば、携帯端末装置２の表示選択部２５に表示する選択キーとしてチャンネル数を予め設定できるチャンネル数選択キーを備えるようにし、設定開始前に当該チャンネル数選択キーによって選択されたチャンネルについて接続設定することができるようにする。このことにより、多様なチャンネル構成のオーディオ信号についてスピーカの接続設定をすることができ、一層ユーザの利便性を向上させることができる。
【００８４】
本実施例の増幅装置１は、携帯端末装置２と相互通信を行う手段として、Wi-Fiの無線手段を用いる構成としたが、増幅装置１と携帯端末装置２の間で相互通信が行えるのであれば、例えば、その他の無線通信、赤外線による通信、ＬＡＮケーブルを用いての通信、ＵＳＢケーブルを用いての通信、光ケーブルを用いての通信等、様々な通信手段を用いて増幅装置１と携帯端末装置２の間で相互通信する構成としても良い。
【００８５】
本実施例の増幅装置１は、携帯端末装置２の表示選択部２５に図２に示したような画面を表示する構成としたが、スピーカの接続設定の際にユーザがテスト信号が出力されたスピーカを選択できるのであれば、図２に示した画面以外のどのような画面表示をする構成としても良い。例えば、ユーザが携帯端末装置に内蔵されているカメラ機能によって予め各スピーカの配置状態を撮影しておき、増幅装置１の設定に関するアプリケーションソフトウェアを起動した場合に当該撮影した画面が表示されるようにし、当該撮影した画面を用いてテスト信号が出力されたスピーカを選択できるようにしても良い。
【産業上の利用可能性】
【００８６】
本発明は、本発明は、再生装置により再生した音声信号を増幅する増幅装置に有用に用いることができる。
【符号の説明】
【００８７】
１  増幅装置、１１  入力部、１２  チャンネル拡張部、１３  チャンネル切換部、
１４  操作部、１５  制御部、１６  記録部、１７  表示部、１８  通信部、
１９  D／A変換部  ２０  増幅部、２１  出力端子、
２  携帯端末装置、２２  通信部、２３  制御部、
２４  アプリケーション記録部、２５  表示選択部、
２１０  ユーザ位置表示、
２１１  Ｃチャンネル選択キー、２１２  Ｌチャンネル選択キー、
２１３  Ｒチャンネル選択キー、２１４  Ｌｓチャンネル選択キー、
２１５  Ｒｓチャンネル選択キー、２１６  スピーカ無し選択キー、
２１７  設定スタートキー、
１０１  Ｃチャンネルスピーカ、１０２  Ｌチャンネルスピーカ、
１０３  Ｒチャンネルスピーカ、１０４  Ｌｓチャンネルスピーカ、
１０５  Ｒｓチャンネルスピーカ、
１０  ユーザ
【図１】
2014192668.tif 000003
【図２】
2014192668.tif 000004
【図３】
2014192668.tif 000005
【図４】
2014192668.tif 000006
【図５】
2014192668.tif 000007